【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
線順次走査によって画像を表示する表示部と、
第１のフレームの画像を示す第１の画像データと、前記第１のフレームに続く第２のフレームの画像を示す第２の画像データとを含む入力映像信号が供給され、前記第１の画像データ及び前記第２の画像データに基づいて、前記第１のフレームと前記第２のフレームとの間の動き補償を行って、中間フレームの中間画像データを生成し、当該中間画像データを前記第１の画像データと前記第２の画像データとの間に挿入して出力映像信号を生成する動き補償処理部と、
前記出力映像信号に応じて前記表示部を線順次走査して駆動する駆動部と、を備え、
前記動き補償処理部は、
前記第１のフレームと前記第２のフレームとの間において注目画像の動きベクトルを検出する動きベクトル検出部と、
前記中間画像データを挿入するタイミングと前記動きベクトルとに応じて、前記中間フレームにおける前記注目画像の画面上の挿入位置を決定し、当該挿入位置の前記線順次走査の垂直走査方向の位置に応じて、当該挿入位置を補正する補正部と、
当該補正部によって補正された挿入位置に前記注目画像が位置するように、前記第１の画像データ及び前記第２の画像データに基づいて、前記中間画像データを生成する合成部と、
を備えることを特徴とする電気光学装置。
【請求項２】
前記表示部は、前記線順次走査の垂直走査方向に設けられた第１及び第２の領域を備え、
前記駆動部は、前記第１の領域を線順次走査するのと同時に前記第２の領域を線順次走査して駆動し、
前記補正部は、第１及び第２の領域の線順次走査の垂直走査方向の位置に応じて前記挿入位置の補正を行う
ことを特徴とする請求項１記載の電気光学装置。
【請求項３】
前記補正部は、
前記動きベクトルに応じて、前記第１のフレームに対応する第３のフレームにおける前記注目画像の画面上の挿入位置を決定し、当該挿入位置の前記線順次走査の垂直走査方向の位置に応じて、当該挿入位置を補正し、
前記合成部は、
前記補正部によって補正された挿入位置に前記注目画像が位置するように、前記第１の画像データ及び前記第２の画像データに基づいて、前記第３のフレームの画像を示す第３の画像データを生成し、
前記動き補償処理部は、
前記第１の画像データの代わりに第３の画像データを挿入した出力映像信号を生成する
ことを特徴とする請求項１記載の電気光学装置。
【請求項４】
前記補正部による前記挿入位置の補正は、前記線順次走査の水平走査方向のみに対して行うことを特徴とする請求項１記載の電気光学装置。
【請求項５】
請求項１乃至４のいずれか一項に記載の電気光学装置を有する、ことを特徴とする電子機器。
【請求項６】
第１のフレームの画像を示す第１の画像データと、前記第１のフレームに続く第２のフレームの画像を示す第２の画像データとを含む入力映像信号が供給され、前記第１の画像データ及び前記第２の画像データに基づいて、前記第１のフレームと前記第２のフレームとの間の動き補償を行って、中間フレームの中間画像データを生成し、当該中間画像データを前記第１の画像データと前記第２の画像データとの間に挿入して出力映像信号を生成して、線順次走査によって画像を表示する表示部を有する電気光学装置に供給する画像処理装置であって、
前記第１のフレームと、前記第２のフレームとの間において注目画像の動きベクトルを検出する動きベクトル検出部と、
前記中間画像データを挿入するタイミングと前記動きベクトルとに応じて、前記中間フレームにおける前記注目画像の画面上の挿入位置を決定し、当該挿入位置の前記線順次走査の垂直走査方向の位置に応じて、当該挿入位置を補正する補正部と、
当該補正部によって補正された挿入位置に前記注目画像が位置するように、前記第１の画像データ及び前記第２の画像データに基づいて、前記中間画像データを生成する合成部と、
を備えることを特徴とする画像処理装置。
【請求項７】
線順次走査によって画像を表示する表示部を備えた電気光学装置の制御方法であって、
第１のフレームの画像を示す第１の画像データと、前記第１のフレームに続く第２のフレームの画像を示す第２の画像データとを含む入力映像信号が供給され、
前記第１の画像データ及び前記第２の画像データに基づいて、前記第１のフレームと前記第２のフレームとの間の動き補償を行って、中間フレームの中間画像データを生成し、
当該中間画像データを前記第１の画像データと前記第２の画像データとの間に挿入して出力映像信号を生成し、
前記出力映像信号に応じて前記表示部を線順次走査して駆動し、
前記第１のフレームと前記第２のフレームとの間において注目画像の動きベクトルを検出し、
前記中間画像データを挿入するタイミングと前記動きベクトルとに応じて、前記中間フレームにおける前記注目画像の画面上の挿入位置を決定し、当該挿入位置の前記線順次走査の垂直走査方向の位置に応じて、当該挿入位置を補正し、
補正された挿入位置に前記注目画像が位置するように、前記第１の画像データ及び前記第２の画像データに基づいて、前記中間画像データを生成する
ことを特徴とする電気光学装置の制御方法。
【手続補正２】
【補正対象書類名】明細書
【補正対象項目名】発明の名称
【補正方法】変更
【補正の内容】
【発明の名称】電気光学装置、電子機器、画像処理装置、及び電気光学装置の制御方法
【手続補正３】
【補正対象書類名】明細書
【補正対象項目名】０００１
【補正方法】変更
【補正の内容】
【０００１】
本発明は、電気光学装置、電子機器、画像処理装置、及び電気光学装置の制御方法に関する。
【手続補正４】
【補正対象書類名】明細書
【補正対象項目名】００１４
【補正方法】変更
【補正の内容】
【００１４】
本発明に係る画像処理装置の一態様は、第１のフレームの画像を示す第１の画像データと、前記第１のフレームに続く第２のフレームの画像を示す第２の画像データとを含む入力映像信号が供給され、前記第１の画像データ及び前記第２の画像データに基づいて、前記第１のフレームと前記第２のフレームとの間の動き補償を行って、中間フレームの中間画像データを生成し、当該中間画像データを前記第１の画像データと前記第２の画像データとの間に挿入して出力映像信号を生成して、線順次走査によって画像を表示する表示部を有する電気光学装置に供給する画像処理装置であって、前記第１のフレームと、前記第２のフレームとの間において注目画像の動きベクトルを検出する動きベクトル検出部と、前記中間画像データを挿入するタイミングと前記動きベクトルとに応じて、前記中間フレームにおける前記注目画像の画面上の挿入位置を決定し、当該挿入位置の前記線順次走査の垂直走査方向の位置に応じて、当該挿入位置を補正する補正部と、当該補正部によって補正された挿入位置に前記注目画像が位置するように、前記第１の画像データ及び前記第２の画像データに基づいて、前記中間画像データを生成する合成部と、を備えることを特徴とする。
本発明に係る電気光学装置の制御方法の一態様は、線順次走査によって画像を表示する表示部を備えた電気光学装置の制御方法であって、第１のフレームの画像を示す第１の画像データと、前記第１のフレームに続く第２のフレームの画像を示す第２の画像データとを含む入力映像信号が供給され、前記第１の画像データ及び前記第２の画像データに基づいて、前記第１のフレームと前記第２のフレームとの間の動き補償を行って、中間フレームの中間画像データを生成し、当該中間画像データを前記第１の画像データと前記第２の画像データとの間に挿入して出力映像信号を生成し、前記出力映像信号に応じて前記表示部を線順次走査して駆動し、前記第１のフレームと前記第２のフレームとの間において注目画像の動きベクトルを検出し、前記中間画像データを挿入するタイミングと前記動きベクトルとに応じて、前記中間フレームにおける前記注目画像の画面上の挿入位置を決定し、当該挿入位置の前記線順次走査の垂直走査方向の位置に応じて、当該挿入位置を補正し、補正された挿入位置に前記注目画像が位置するように、前記第１の画像データ及び前記第２の画像データに基づいて、前記中間画像データを生成することを特徴とする。